【手続補正書】
【提出日】平成15年12月16日(2003.12.16)
【手続補正１】
【補正対象書類名】特許請求の範囲
【補正対象項目名】全文
【補正方法】変更
【補正の内容】
【特許請求の範囲】
【請求項１】
セット照明装置であって、
上側端部及び下側端部を具備する複数の鉛直部材に連結される水平枠組と、
前記装置を移動させるために前記下側端部に連結される手段と、
前記枠組に連結される複数の取付具と、
前記照明取付具の動作を制御する手段と、
前記制御手段と電気通信するディジタルプロセッサと、を備え、
前記ディジタルプロセッサが前記取付具の動作を予めプログラム可能にするようなプログラム可能手段を具備し、
前記ディジタルプロセッサが前記取付具の動作を遠隔制御するように構成され、
移動させるための前記手段が前記装置の使用中に地面と接触し、及び
前記枠組が複数の前記鉛直部材によってもっぱら支持されるセット照明装置。
【請求項２】
前記取付具は、照明及び照明取付具から成る群から選択された少なくとも２つの部材を備える、請求項１に記載のセット照明装置。
【請求項３】
前記枠組は前記鉛直部材に対して直角に移動可能に構成される、請求項１に記載のセット照明装置。
【請求項４】
前記枠組が少なくとも１つの延長アームを備え、少なくとも１つの前記延長アームが少なくとも１つの背景幕照明を支持するように構成される、請求項１に記載のセット照明装置。
【請求項５】
前記照明装置が、２つの前記セット間及び複数の該セット間での前記セット照明装置の移動を可能にするように個々に構成されるセットと共に使用される、請求項１に記載のセット照明装置。
【請求項６】
セット照明装置であって、
上側端部及び下側端部を具備する複数の鉛直部材に連結される水平枠組と、
前記装置を移動させるために前記下側端部の各々に連結される可動部材と、
前記枠組に連結される複数の制御可能な取付具と、
前記取付具と電気通信するディジタルプロセッサと、を備え、
前記ディジタルプロセッサが前記取付具の動作を予めプログラム可能にするようなプログラム可能手段を具備し、
前記ディジタルプロセッサが前記取付具の動作を遠隔制御するように構成され、
前記可動部材が前記装置の使用中に水平面によって支持され、及び
前記枠組が前記装置の使用中に複数の前記鉛直部材によってもっぱら支持されるセット照明装置。
【請求項７】
前記取付具がある角度に向けられるか又は時々回転される、請求項６に記載のセット照明装置。
【請求項８】
前記取付具は、照明及び照明取付具から成る群から選択された少なくとも２つの部材を備える、請求項６に記載のセット照明装置。
【請求項９】
前記枠組は前記鉛直部材に対して直角に移動可能に構成される、請求項６に記載のセット照明装置。
【請求項１０】
前記水平面は前記地面である、請求項６に記載のセット照明装置。
【請求項１１】
前記枠組が少なくとも１つの延長アームを備え、少なくとも１つの前記延長アームが少なくとも１つの背景幕照明を支持するように構成される、請求項６に記載のセット照明装置。
【請求項１２】
前記照明装置が、２つの前記セット間及び複数の該セット間での前記セット照明装置の移動を可能にするように個々に構成されるセットと共に使用される、請求項６に記載のセット照明装置。
【請求項１３】
多数のセットを照明する方法であって、
上側端部及び下側端部を具備する複数の鉛直部材に連結される水平枠組と、
前記装置を移動させるために前記下側端部の各々に連結される可動部材と、
前記枠組に連結される制御可能な複数の取付具と、
前記取付具と電気通信するディジタルプロセッサと、を具備し、
前記ディジタルプロセッサが前記取付具の動作を予めプログラム可能にするプログラム可能な手段を具備し、
前記ディジタルプロセッサが前記取付具の動作を遠隔制御するように構成され、
前記可動部材が前記装置の使用中に水平面によって支持されるように構成され、及び
前記枠組が前記装置の使用中に複数の前記鉛直部材によってもっぱら支持される、照明リグ装置を準備する段階と、
前記リグを第１ロケーションに移動させる段階と、
第１の所望の照明効果を達成するように前記取付具を調節する段階と、
前記リグを第２ロケーションに移動させる段階と、
第２の所望な照明効果を達成するように前記取付具を調節する段階と、を備える多数のセットを照明する方法。
【請求項１４】
前記取付具が前記枠組上の位置及び強度の両方に関して調節される、請求項１３に記載の方法。
【請求項１５】
前記枠組が少なくとも１つの延長アームを備え、少なくとも１つの前記延長アームが少なくとも１つの背景幕照明を支持するように構成される、請求項１３に記載の方法。
【請求項１６】
前記第１ロケーションは第１セットである、請求項１３に記載の方法。
【請求項１７】
前記第２ロケーションは第２セットである、請求項１３に記載の方法。
【請求項１８】
多数のセットを照明する方法であって、
上側端部及び下側端部を具備する複数の鉛直部材に連結される水平枠組と、
前記装置を移動させるために前記下側端部の各々に連結される可動部材と、
前記枠組に連結される制御可能な複数の取付具と、
前記取付具と電気通信するディジタルプロセッサと、を具備し、
前記ディジタルプロセッサが前記取付具の動作を予めプログラム可能にするようなプログラム可能な手段を具備し、
前記ディジタルプロセッサが前記取付具の動作を遠隔制御するように構成され、
前記可動部材が前記装置の使用中に水平面によって支持され、及び
前記枠組が前記装置の使用中に複数の前記鉛直部材によってもっぱら支持される、照明リグ装置を準備する段階と、
前記リグを第１ロケーションに移動させる段階と、
照明が前記第１ロケーションに与えられるように前記取付具を作動させる段階と、
前記リグを少なくとも第２ロケーションに移動させる段階と、
照明が前記第２ロケーションに与えられるように前記取付具を作動させる段階と、を備える多数のセットを照明する方法。
【請求項１９】
前記水平面は前記地面である、請求項１８に記載の方法。
【請求項２０】
前記取付具が前記枠組に移動可能に連結される、請求項１８に記載の方法。
【請求項２１】
前記枠組が少なくとも１つの延長アームを備え、少なくとも１つの前記延長アームが少なくとも１つの背景幕照明を支持するように構成される、請求項１８に記載の方法。
【請求項２２】
前記第１ロケーションは第１セットである、請求項１８に記載の方法。
【請求項２３】
前記第２ロケーションは第２セットである、請求項１８に記載の方法。
【請求項２４】
前記取付具が、照明、照明取付具、背景幕、スクリーン、ブラインド、シェード、ドレープ及びこれらの組合せから成る群から選択される、請求項１に記載のセット照明装置。
【請求項２５】
前記照明装置が、前記可動装置と共に、２つの前記セット間及び複数の該セット間での前記セット照明装置の移動を可能にするように構成される複数のセットと共に使用すべく構成される、請求項１に記載のセット照明装置。
【請求項２６】
複数の前記セットが共有壁を有さないように構成される、請求項２５に記載のセット照明装置。
【請求項２７】
前記枠組の高さを調節する手段を更に備える、請求項３に記載のセット照明装置。
【請求項２８】
前記取付具が、照明、照明取付具、背景幕、スクリーン、ブラインド、シェード、ドレープ及びこれらの組合せから成る群から選択される、請求項６に記載のセット照明装置。
【請求項２９】
前記照明装置が、前記可動装置と共に、２つの前記セット間及び複数の該セット間での前記セット照明装置の移動を可能にするように構成される複数のセットと共に使用すべく構成される、請求項６に記載のセット照明装置。
【請求項３０】
複数の前記セットが共有壁を有さないように構成される、請求項２９に記載のセット照明装置。
【請求項３１】
前記枠組の高さを調節する手段を更に備える、請求項９に記載のセット照明装置。
【請求項３２】
前記取付具が、照明、照明取付具、背景幕、スクリーン、ブラインド、シェード、ドレープ、及びこれらの組合せから成る群から選択される、請求項１３に記載の多数のセットを照明する方法。
【請求項３３】
前記多数のセットが、前記可動装置と共に、２つの前記セット間及び複数の該セット間での前記セット照明装置の移動を可能にするように構成される、請求項１３に記載の多数のセットを照明する方法。
【請求項３４】
前記多数のセットが共有壁を有さない、請求項３３に記載の多数のセットを照明する方法。
【請求項３５】
前記多数のセットが、円、正方形、及び直線状列から成る群から選択された形状構成に配置される、請求項３４に記載の多数のセットを照明する方法。
【請求項３６】
前記第１の所望な照明効果を達成するように、前記鉛直部材に対して前記枠組を直角に調節する段階を更に備える、請求項１３に記載の多数のセットを照明する方法。
【請求項３７】
前記第２の所望な照明効果を達成するように、前記鉛直部材に対して前記枠組を直角に調節する段階を更に備える、請求項１３に記載の多数のセットを照明する方法。
【請求項３８】
前記取付具が、照明、照明取付具、背景幕、スクリーン、ブラインド、シェード、ドレープ、及びこれらの組合せから成る群から選択される、請求項１８に記載の多数のセットを照明する方法。
【請求項３９】
前記多数のセットが、前記可動装置と共に、２つの前記セット間及び複数の該セット間での前記セット照明装置の移動を可能にするように構成される、請求項１８に記載の多数のセットを照明する方法。
【請求項４０】
前記多数のセットが共有壁を有さない、請求項３９に記載の多数のセットを照明する方法。
【請求項４１】
前記多数のセットが、円、正方形、及び直線状列から成る群から選択された形状構成に配置される、請求項４０に記載の多数のセットを照明する方法。
【請求項４２】
前記第１のロケーションで使用するために、前記鉛直部材に対して前記枠組を直角に調節する段階を更に備える、請求項１８に記載の多数のセットを照明する方法。
【請求項４３】
前記第２のロケーションで使用するために、前記鉛直部材に対して前記枠組を直角に調節する段階を更に備える、請求項１８に記載の多数のセットを照明する方法。
【請求項４４】
セット照明及び製作方法であって、
（ａ）セット照明装置を準備する段階であって、
（１）上側端部及び下側端部を具備する複数の鉛直部材に連結される水平枠組と、
（２）前記装置を移動させるために前記下側端部に連結される手段と、
（３）前記枠組に連結される複数の制御可能な取付具と、
（４）前記取付具と電気通信するディジタルプロセッサと、を具備し、
（ｉ）前記ディジタルプロセッサが前記取付具の動作を予めプログラム可能にするようなプログラム可能な手段を具備し、
（ｉｉ）前記ディジタルプロセッサが前記取付具の動作を遠隔制御するように構成された、前記セット照明装置を準備する段階と、
（ｂ）単一のロケーションにおいて複数のセットを提供し、２つの前記セット間及び複数の該セット間での前記照明装置の移動を可能にするように構成される、前記単一のロケーションにおいて複数のセットを提供する段階と、
（ｃ）前記移動手段を作動させて前記照明装置を複数の前記セットのうちの第１セットに移動させて第１の使用を行い、前記第１の使用の間に、前記照明装置は前記地面に移動可能に静止し、前記移動手段は前記地面と接触し、また前記水平枠組が複数の前記鉛直部材によってもっぱら支持される段階と、
（ｄ）前記第１の使用が完了した際に、前記移動手段を作動させて前記照明装置を複数のセットのうちの第２位置に移動させて第２の使用を行い、前記第２の使用の間に、前記照明装置は前記地面に移動可能に静止し、前記移動手段は前記地面と接触し、また前記水平枠組は複数の前記鉛直部材によってもっぱら支持される段階と、を備えるセット照明及び製作方法。
【請求項４５】
前記多数のセットが、円、正方形、及び直線状列から成る群から選択された形状構成に配置される、請求項４４に記載の多数のセットを照明する方法。
【請求項４６】
複数の前記セットが共有壁を有さないように構成される、請求項４５に記載の多数のセットを照明する方法。
【請求項４７】
前記第１の使用及び前記第２の使用の少なくとも１つ前に、前記鉛直部材に対して前記枠組を直角に調節する段階を更に備える、請求項４４に記載の多数のセットを照明する方法。
【請求項４８】
前記第１の使用及び前記第２の使用の少なくとも１つ後に、前記鉛直部材に対して前記枠組を直角に調節する段階を更に備える、請求項４４に記載の多数のセットを照明する方法。
【請求項４９】
前記取付具が、照明、照明取付具、背景幕、スクリーン、ブラインド、シェード、ドレープ、及びこれらの組合せから成る群から選択される、請求項４４に記載の多数のセットを照明する方法。
【請求項５０】
前記第１の使用に対する第１の所望な照明効果を達成するように前記取付具を調節し、そして前記第２の使用に対する第２の所望な照明効果を達成するように前記取付具を調節する段階を更に備える、請求項４４に記載の多数のセットを照明する方法。
【請求項５１】
複数のセット照明装置が前記前記第１の使用及び前記第２の少なくとも１つのために、互いに隣接して配置される、請求項４４に記載の多数のセットを照明する方法。